(57)【要約】【課題】燃料電池システムにおいて、運転停止処理時または運転停止処理後に、アノードまたはカソードの劣化を抑制する技術を提供することを目的とする。【解決手段】燃料電池を備える燃料電池システムの運転停止方法であって、燃料電池は、少なくとも、アノード、カソード、および、電解質膜を含む燃料電池セルを１つ以上備え、（Ａ）燃料電池に対する燃料ガスの供給を停止させる工程と、（Ｂ）セル電圧を所定の閾値以下に低下させる工程と、（Ｃ）燃料ガスの供給を停止させると共に、燃料電池セルのセル電圧を閾値以下に低下させた状態を保ちつつ、燃料電池において燃料ガスが流通する燃料電池内燃料ガス流路に滞留する燃料ガスを、活性が低い低活性ガスに置換する工程と、を備える。【選択図】図３
2009043431.tif 000002
【特許請求の範囲】
【請求項１】
燃料電池を備える燃料電池システムの運転停止方法であって、
前記燃料電池は、少なくとも、アノード、カソード、および、電解質膜を含む燃料電池セルを１つ以上備え、
（Ａ）前記燃料電池に対する燃料ガスの供給を停止させる工程と、
（Ｂ）前記燃料電池のセル電圧を所定の閾値以下に低下させる工程と、
（Ｃ）前記燃料ガスの供給を停止させると共に、前記セル電圧を前記閾値以下に低下させた状態を保ちつつ、前記燃料電池において前記燃料ガスが流通する燃料電池内燃料ガス流路に滞留する前記燃料ガスを、活性が低い低活性ガスに置換する工程と、
を備えることを特徴とする燃料電池システムの運転停止方法。
【請求項２】
請求項１に記載の燃料電池システムの運転停止方法において、
前記工程（Ｂ）では、前記燃料電池に対する前記燃料ガスおよび酸化ガスの供給を停止させた状態で、前記燃料電池に発電させることにより、前記セル電圧を前記閾値以下に低下させることを特徴とする燃料電池システムの運転停止方法。
【請求項３】
請求項１に記載の燃料電池システムの運転停止方法において、
前記工程（Ｂ）では、前記燃料電池を短絡させることにより、前記セル電圧を前記閾値以下に低下させることを特徴とする燃料電池システムの運転停止方法。
【請求項４】
請求項２記載の燃料電池システムの運転停止方法において、
前記酸化ガスは空気を含み、
前記工程（Ｃ）では、前記燃料ガスの供給を停止させると共に、前記セル電圧を前記閾値以下に低下させた状態を保ちつつ、前記燃料電池における前記酸化ガスが流通する燃料電池内酸化ガス流路内のガスであって、前記工程（Ｂ）で前記発電により、酸素濃度が低下したガスを、前記低活性ガスとして、前記アノード側流路内に滞留する前記燃料ガスと置換することを特徴とする燃料電池システムの運転停止方法。
【請求項５】
請求項１ないし請求項４のいずれかに記載の燃料電池システムの運転停止方法において、
前記工程（Ｃ）では、前記燃料電池を短絡させる、または、前記燃料電池に電気的負荷を接続することにより、前記セル電圧を前記閾値以下に低下させた状態を保つことを特徴とする燃料電池システムの運転停止方法。
【請求項６】
請求項１ないし請求項５のいずれかに記載の燃料電池システムの運転停止方法において、
（Ｄ）前記燃料電池内燃料ガス流路において、前記燃料ガスを前記低活性ガスに置換後、さらに、前記低活性ガスを空気に置換する工程を備えることを特徴とする燃料電池システムの運転停止方法。
【請求項７】
請求項１ないし請求項６のいずれかに記載の燃料電池システムの運転停止方法において、
前記工程（Ｂ）では、前記セル電圧を０．４Ｖ以下に低下させることを特徴とする燃料電池システムの運転停止方法。
【請求項８】
燃料電池を備える燃料電池システムであって、
請求項１ないし請求項７に記載の燃料電池システムの運転停止方法によって運転停止を行う燃料電池システム。
【請求項９】
燃料電池を備える燃料電池システムであって、
前記燃料電池は、少なくとも、アノード、カソード、および、電解質膜を含む燃料電池セルを１つ以上備え、
前記燃料電池システムは、
前記燃料電池に対する燃料ガスの供給を停止させる停止部と、
前記燃料電池に電気的負荷を接続し、若しくは、前記燃料電池を短絡させることにより、前記燃料電池のセル電圧を所定の閾値以下に低下させる電圧低下処理部と、
前記停止部に前記燃料ガスの供給を停止させ、前記電圧低下処理部に前記セル電圧を前記閾値以下に低下させた状態で、前記燃料電池において前記燃料ガスが流通する燃料電池内燃料ガス流路に滞留する前記燃料ガスを、活性が低い低活性ガスに置換する置換部と、
を備えることを特徴とする燃料電池システム。
【請求項１０】
燃料電池を備える燃料電池システムであって、
前記燃料電池は、少なくとも、アノード、カソード、および、電解質膜を含む燃料電池セルを１つ以上備え、
前記燃料電池システムは、
前記燃料電池に燃料ガスの供給を行う燃料ガス供給部と、
前記燃料電池に少なくとも空気を含む酸化ガスの供給を行う酸化ガス供給部と、
前記燃料電池の発電時に前記酸化ガスが流通する流路であって、前記燃料電池内において前記酸化ガスが流通する燃料電池内酸化ガス流路を少なくとも含むカソード系流路と、
前記燃料電池の発電時に前記燃料ガスが流通する流路であって、前記燃料電池内において前記燃料ガスが流通する燃料電池内燃料ガス流路を少なくとも含むアノード系流路と、
前記カソード系流路と前記アノード系流路とを接続するバイパス流路と、
前記燃料電池の通常発電時において、前記パイバス流路の流体の流れを遮断するバイパス弁と、
制御部と、
前記制御部に制御され、前記バイパス弁が開弁された場合において、前記カソード系流路内のガスを前記アノード系流路に導入するためのガス導入部と、を備え、
前記制御部は、
前記燃料電池システムの運転停止処理時において、前記燃料ガス供給部および前記酸化ガス供給部から、それぞれ前記燃料電池に供給される前記燃料ガスおよび前記酸化ガスの供給を停止させ、前記燃料電池に電気的負荷を接続し、若しくは、前記燃料電池を短絡させることにより、前記燃料電池セルのセル電圧を所定の閾値以下に低下させると共に、前記カソード系流路内の窒素濃度を上昇させ、さらに、
前記燃料電池に電気的負荷を接続、若しくは、前記燃料電池を短絡させることを継続させて、前記セル電圧を所定の閾値以下に保ちつつ、前記バイパス弁を開弁させると共に、前記ガス導入部を制御して、前記カソード系流路内の窒素濃度が高い低活性ガスを前記アノード系流路に導入することにより、前記燃料電池内燃料ガス流路に残留する前記燃料ガスを、前記低活性ガスに置換することを特徴とする燃料電池システム。
【発明の詳細な説明】
【技術分野】
【０００１】
本発明は、燃料電池を備える燃料電池システムに関する。
【背景技術】
【０００２】
燃料電池を備える燃料電池システムでは、燃料電池の燃料電池セルのアノード側に燃料ガスを、カソード側に酸化ガスを供給する。この燃料電池システムの運転停止処理時には、電気的負荷との接続を遮断し、また、燃料ガスおよび酸化ガスの供給を停止させるが、それに伴い、アノード側に燃料ガスが滞留し、カソード側に酸化ガスが滞留した状態となる。このような状態が継続すると、燃料電池の燃料電池セルにおいて、アノードとカソードとの間で、反応ガスのクロスリークが生じるおそれがあった。このように、クロスリークが生じると、アノードにおいて、局所的に燃料ガス濃度が高いところと低いところが現れ、その結果、アノードにおいて、その面に沿った方向（以下、面方向とも呼ぶ）に局所的な電位勾配が生じるおそれがあった。そうすると、カソードにおいて、部分的に酸化反応が起こり、カソードが劣化するおそれがあった。例えば、カソードが、触媒担持カーボンから形成されている場合には、下記の式（１）のようなカーボン酸化反応が生じるおそれがある。
Ｃ＋２Ｈ2Ｏ→ＣＯ2＋４Ｈ+＋４ｅ-・・・（１）
【０００３】
そこで、このような問題を解決するため、燃料電池システムの運転停止処理時において、燃料電池セルのアノード側に滞留する燃料ガスを、空気で押し出すことにより空気に置換する技術が開示されている（特許文献１参照）。
【０００４】
【特許文献１】特開２００４−１４６０８４号公報
【発明の開示】
【発明が解決しようとする課題】
【０００５】
しかしながら、上述の技術では、燃料電池システムにおいて、燃料電池セルのアノード側に滞留する燃料ガスを、空気で押し出す際に、アノードにおいて、燃料ガスと空気とが混合し、触媒燃焼反応が起こり、アノードが劣化するおそれがあった。
【０００６】
なお、上記問題は、酸化ガスとして空気、燃料ガスとして水素を用いる場合に、特に、生じやすい。
【０００７】
本発明は、上記課題に鑑みてなされたものであり、燃料電池システムにおいて、運転停止処理時または運転停止処理後に、アノードまたはカソードの劣化を抑制する技術を提供することを目的とする。
【課題を解決するための手段】
【０００８】
本発明は、上述の課題の少なくとも一部を解決するためになされたものであり、以下の形態又は適用例として実現することが可能である。
【０００９】
[適用例１]燃料電池を備える燃料電池システムの運転停止方法であって、前記燃料電池は、少なくとも、アノード、カソード、および、電解質膜を含む燃料電池セルを１つ以上備え、（Ａ）前記燃料電池に対する燃料ガスの供給を停止させる工程と、（Ｂ）前記燃料電池のセル電圧を所定の閾値以下に低下させる工程と、（Ｃ）前記燃料ガスの供給を停止させると共に、前記セル電圧を前記閾値以下に低下させた状態を保ちつつ、前記燃料電池において前記燃料ガスが流通する燃料電池内燃料ガス流路に滞留する前記燃料ガスを、活性が低い低活性ガスに置換する工程と、を備えることを要旨とする。
【００１０】
上記構成の燃料電池システムの運転停止方法によれば、燃料電池システムの運転停止時または運転停止後に、アノードまたはカソードの劣化を抑制することができる。
【００１１】
[適用例２]適用例１に記載の燃料電池システムの運転停止方法において、前記工程（Ｂ）では、前記燃料電池に対する前記燃料ガスおよび酸化ガスの供給を停止させた状態で、前記燃料電池に発電させることにより、前記セル電圧を前記閾値以下に低下させることを特徴とする燃料電池システムの運転停止方法。
【００１２】
このようにすれば、酸化ガスまたは燃料ガスが消費され、セル電圧を上記閾値以下に低下させることができる。
【００１３】
[適用例３]適用例１に記載の燃料電池システムの運転停止方法において、前記工程（Ｂ）では、前記燃料電池を短絡させることにより、前記セル電圧を前記閾値以下に低下させることを特徴とする燃料電池システムの運転停止方法。
【００１４】
このようにすれば、少なくとも燃料電池の内部抵抗によってセル電圧を上記閾値以下に低下させることができる。
【００１５】
[適用例４]適用例２に記載の燃料電池システムの運転停止方法において、前記酸化ガスは空気を含み、前記工程（Ｃ）では、前記燃料ガスの供給を停止させると共に、前記セル電圧を前記閾値以下に低下させた状態を保ちつつ、前記燃料電池における前記酸化ガスが流通する燃料電池内酸化ガス流路内のガスであって、前記工程（Ｂ）で前記発電により、酸素濃度が低下したガスを、前記低活性ガスとして、前記アノード側流路内に滞留する前記燃料ガスと置換することを特徴とする燃料電池システムの運転停止方法。
【００１６】
このようにすれば、上記工程（Ｂ）での発電により酸素濃度が低下した低活性ガス（例えば、窒素）を、アノード側流路内の置換ガスとして、有効利用することができる。
【００１７】
[適用例５]適用例１ないし適用例４のいずれかに記載の燃料電池システムの運転停止方法において、前記工程（Ｃ）では、前記燃料電池を短絡させる、または、前記燃料電池に電気的負荷を接続することにより、前記セル電圧を前記閾値以下に低下させた状態を保つことを特徴とする燃料電池システムの運転停止方法。
【００１８】
このようにすれば、セル電圧を前記閾値以下に低下させた状態を保つことが可能となる。
【００１９】
[適用例６]適用例１ないし適用例５のいずれかに記載の燃料電池システムの運転停止方法において、（Ｄ）前記燃料電池内燃料ガス流路において、前記燃料ガスを前記低活性ガスに置換後、さらに、前記低活性ガスを空気に置換する工程を備えることを特徴とする燃料電池システムの運転停止方法。
【００２０】
このようにすれば、燃料電池システムの運転停止後において、アノードまたはカソードの劣化を抑制することができる。
【００２１】
[適用例７]適用例１ないし適用例６のいずれかに記載の燃料電池システムの運転停止方法において、前記工程（Ｂ）では、前記セル電圧を０．４Ｖ以下に低下させることを特徴とする燃料電池システムの運転停止方法。
【００２２】
このようにすれば、カソードにおける酸化反応を抑制することができる。
【００２３】
[適用例８]  燃料電池を備える燃料電池システムであって、適用例１ないし適用例７に記載の燃料電池システムの運転停止方法によって運転停止を行う燃料電池システム。
【００２４】
上記構成の燃料電池システムによれば、燃料電池システムの運転停止時または運転停止後に、アノードまたはカソードの劣化を抑制することができる。
【００２５】
[適用例９]燃料電池を備える燃料電池システムであって、前記燃料電池は、少なくとも、アノード、カソード、および、電解質膜を含む燃料電池セルを１つ以上備え、前記燃料電池システムは、前記燃料電池に対する燃料ガスの供給を停止させる停止部と、前記燃料電池に電気的負荷を接続し、若しくは、前記燃料電池を短絡させることにより、前記燃料電池のセル電圧を所定の閾値以下に低下させる電圧低下処理部と、前記停止部に前記燃料ガスの供給を停止させ、前記電圧低下処理部に前記セル電圧を前記閾値以下に低下させた状態で、前記燃料電池において前記燃料ガスが流通する燃料電池内燃料ガス流路に滞留する前記燃料ガスを、活性が低い低活性ガスに置換する置換部と、を備えることを要旨とする。
【００２６】
上記構成の燃料電池システムによれば、燃料電池システムの運転停止時または運転停止後に、アノードまたはカソードの劣化を抑制することができる。
【００２７】
[適用例１０]燃料電池を備える燃料電池システムであって、前記燃料電池は、少なくとも、アノード、カソード、および、電解質膜を含む燃料電池セルを１つ以上備え、前記燃料電池システムは、前記燃料電池に燃料ガスの供給を行う燃料ガス供給部と、前記燃料電池に少なくとも空気を含む酸化ガスの供給を行う酸化ガス供給部と、前記燃料電池の発電時に前記酸化ガスが流通する流路であって、前記燃料電池内において前記酸化ガスが流通する燃料電池内酸化ガス流路を少なくとも含むカソード系流路と、前記燃料電池の発電時に前記燃料ガスが流通する流路であって、前記燃料電池内において前記燃料ガスが流通する燃料電池内燃料ガス流路を少なくとも含むアノード系流路と、前記カソード系流路と前記アノード系流路とを接続するバイパス流路と、前記燃料電池の通常発電時において、前記パイバス流路の流体の流れを遮断するバイパス弁と、制御部と、前記制御部に制御され、前記バイパス弁が開弁された場合において、前記カソード系流路内のガスを前記アノード系流路に導入するためのガス導入部と、を備え、前記制御部は、前記燃料電池システムの運転停止処理時において、前記燃料ガス供給部および前記酸化ガス供給部から、それぞれ前記燃料電池に供給される前記燃料ガスおよび前記酸化ガスの供給を停止させ、前記燃料電池に電気的負荷を接続し、若しくは、前記燃料電池を短絡させることにより、前記燃料電池セルのセル電圧を所定の閾値以下に低下させると共に、前記カソード系流路内の窒素濃度を上昇させ、さらに、前記燃料電池に電気的負荷を接続、若しくは、前記燃料電池を短絡させることを継続させて、前記セル電圧を所定の閾値以下に保ちつつ、前記バイパス弁を開弁させると共に、前記ガス導入部を制御して、前記カソード系流路内の窒素濃度が高い低活性ガスを前記アノード系流路に導入することにより、前記燃料電池内燃料ガス流路に残留する前記燃料ガスを、前記低活性ガスに置換することを要旨とする。
【００２８】
このようにすれば、燃料電池システムの運転停止時または運転停止後に、アノードまたはカソードの劣化を抑制することができる。
【００２９】
なお、本発明は、上記した燃料電池システムの運転停止方法に限られず、他の方法発明の態様で実現することも可能である。また、上記した燃料電池システムに限られず、他の装置発明の態様で実現することも可能である。また、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００３０】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。
【発明を実施するための最良の形態】
【００３１】
以下、本発明の実施の形態について、実施例に基づき説明する。
Ａ．第１実施例：
Ａ１．燃料電池システム１０００の構成：
図１は、本発明の第１実施例としての燃料電池システム１０００の構成を示すブロック図である。本実施例の燃料電池システム１０００は、主に、燃料電池１００と、水素タンク２０と、コンプレッサ３０と、負荷短絡部６０と、水素遮断弁４０と、レギュレータ５０と、バイパス弁７０と、空気排出弁８０と、ガス流量計７５と、電圧センサ９０と、制御回路４００と、を備えている。
【００３２】
この燃料電池システム１０００は、燃料電池システム１０００の外部から電力要求があった場合には、まず、燃料電池システム１０００の運転開始処理を行い、その後、発電量が定常的になると、通常発電運転となる。そして、電力要求がなくなると、通常発電運転を終了し、燃料電池システム１０００の運転停止処理を行う。この運転停止処理については、フローチャートを用いて、詳細を後述する。
【００３３】
水素タンク２０は、燃料ガスとしての高圧水素ガスが貯蔵される貯蔵装置であり、水素供給流路２２を介して燃料電池１００（後述の水素供給マニホールドＭｎ１）に接続されている。水素供給流路２２上において、水素タンク２０から近い順番に、水素遮断弁４０と、レギュレータ５０とが設けられている。また、水素排出流路２４は、燃料電池１００（水素排出マニホールドＭｎ２）と接続され、燃料電池１００から排出される水素を燃料電池システム１０００外部に排出する。
【００３４】
コンプレッサ３０は、酸化ガスとしての空気を燃料電池１００に供給するための装置であり、空気供給流路３２を介して燃料電池１００（空気供給マニホールドＭｓ１）に接続される。また、空気排出流路３４は、燃料電池１００（空気排出マニホールドＭｓ２）と接続され、燃料電池１００から排出される空気を燃料電池システム１０００外部に排出する。さらに、空気排出流路３４上には、空気排出弁８０が設けられる。
【００３５】
また、本実施例の燃料電池システム１０００は、水素供給流路２２におけるレギュレータ５０と燃料電池１００との間の部分と、空気排出流路３４における空気排出弁８０と燃料電池１００との間の部分とをつなぐバイパス流路７２を備えている。バイパス弁７０及びガス流量計７５は、このバイパス流路７２上に設けられている。なお、バイパス弁７０は、燃料電池システム１０００の開始処理時、および、通常発電時には、閉弁されている。
【００３６】
通常発電中において、水素タンク２０から水素供給流路２２を介して供給される水素は、燃料電池１００で電気的化学反応に供され、水素排出流路２４を介して燃料電池システム１０００の外部に排出され、コンプレッサ３０から空気供給流路３２を介して供給される空気は、燃料電池１００で電気的化学反応に供され、空気排出流路３４を介して燃料電池システム１０００の外部に排出される。
【００３７】
燃料電池１００は、固体高分子型の燃料電池であり、複数の燃料電池セル１０と、エンドプレート３００と、インシュレータ３３０と、ターミナル３４０と、を備えている。燃料電池セル１０は、インシュレータ３３０およびターミナル３４０を挟んで、２枚のエンドプレート３００によって挟持される。すなわち、燃料電池１００は、燃料電池セル１０が、複数個積層された層状構造を有している。また、燃料電池１００は、テンションプレート（図示せず）がボルト（図示せず）によって各エンドプレート３００に結合されることによって、各燃料電池セル１０を、積層方向に所定の力で締結する構造となっている。本実施例では、燃料電池１００には、燃料ガスとして水素が、酸化ガスとして、空気がそれぞれ供給される。
【００３８】
図２は、燃料電池セル１０の概略構成を表わす断面模式図である。この燃料電池セル１０は、電解質膜１１と、電解質膜１１の両面に形成されるカソード１２およびアノード１３とから成る膜電極接合体５（以下では、ＭＥＡ（Ｍｅｍｂｒａｎｅ  Ｅｌｅｃｔｒｏｄｅ  Ａｓｓｅｍｂｌｙ）５と呼ぶ）を備える。燃料電池セル１０は、ＭＥＡ５の外側に第１ガス拡散層１４，１５を備え、さらに、その外側に第２ガス拡散層１６，１７を備えている。電解質膜１１は、固体高分子材料、例えば、フッ素系樹脂により形成されたプロトン伝導性のイオン交換膜であり、湿潤状態で良好なプロトン伝導性を示す。カソード１２、および、アノード１３は、触媒金属である白金（Ｐｔ）を担持したカーボン（以下では、白金担持カーボンとも呼ぶ）と、電解質とから構成される。第１ガス拡散層１４，１５は、導電性を有するカーボン製の多孔質部材であり、例えば、カーボンクロスやカーボンペーパによって形成される。また、第２ガス拡散層１６，１７は、導電性を有し、第１ガス拡散層１４，１５よりも比較的大きな細孔からなる多孔質部材であり、例えば、カーボンペーパ等のカーボン多孔質体や、金属メッシュや発泡金属などの金属多孔質体によって形成することができる。
【００３９】
セパレータ６，７は、ガス不透過の導電性部材、例えば、カーボンを圧縮してガス不透過とした緻密質カーボンや、プレス成形した金属板によって形成することができる。セパレータ６，７の表面には、燃料電池セル１０に供給された空気（酸化ガス）あるいは水素（燃料ガス）の流路を形成するための凹凸形状が形成されている。すなわち、カソード側の第２ガス拡散層１６とセパレータ６との間には、通常運転時において、カソード１２で電気化学反応に供される酸化ガスが通過するセル内空気流路１８が形成されている。また、アノード側の第２ガス拡散層１７とセパレータ７との間には、通常運転時において、アノード１３で電気化学反応に供される燃料ガスが通過するセル内水素流路１９が形成されている。なお、図２のセパレータ６，７は、平行な複数の溝からなる凹凸形状を有しているが、異なる形状としても良く、セパレータ６，７とＭＥＡ５との間に、ガスの流路を形成するための空間を形成可能であればよい。
【００４０】
燃料電池セル１０の外周部には、セル内空気流路１８およびセル内水素流路１９におけるガスシール性を確保するための図示しないシール部材が配設されている。また、本実施例の燃料電池１００は、燃料電池セル１０を複数積層したスタック構造を有しているが、このスタック構造の外周部には、燃料電池セル１０の積層方向と平行であって水素あるいは空気が流通する複数のガスマニホールドが設けられている（図示せず）。
【００４１】
このマニホールドのうち、後述の空気供給流路３２、および、各燃料電池セル１０のセル内空気流路１８とそれぞれ接続されるマニホールドを空気供給マニホールドＭｓ１とも呼び、後述の水素供給流路２２、および、各燃料電池セル１０のセル内水素流路１９とそれぞれ接続されるマニホールドを、水素供給マニホールドＭｎ１とも呼ぶ。また、このマニホールドのうち、後述の空気排出流路３４、および、セル内空気流路１８とそれぞれ接続されるマニホールドを空気排出マニホールドＭｓ２とも呼び、水素排出流路２４、および、セル内水素流路１９とそれぞれ接続されるマニホールドを水素排出マニホールドＭｎ２とも呼ぶ。
【００４２】
燃料電池１００において、発電中に水素が流通する流路、すなわち、各燃料電池セル１０における第２ガス拡散層１７、第１ガス拡散層１５、セル内水素流路１９、水素供給マニホールドＭｎ１、および、水素排出マニホールドＭｎ２を、合わせてアノード流路２６とも呼ぶ。また、燃料電池１００において、発電中に空気が流通する流路、すなわち、各燃料電池セル１０における第２ガス拡散層１６、第１ガス拡散層１４、セル内空気流路１８、空気供給マニホールドＭｓ１、および、空気排出マニホールドＭｓ２を、合わせてカソード流路３６とも呼ぶ。
【００４３】
また、燃料電池システム１０００において、発電中に水素が流通する流路、すなわち、水素供給流路２２、アノード流路２６、および、水素排出流路２４を、合わせてアノード系流路ＡＦＰとも呼び、発電中に空気が流通する流路、すなわち、空気供給流路３２、カソード流路３６、および、空気排出流路３４を、合わせてカソード系流路ＣＦＰとも呼ぶ。
【００４４】
なお、燃料電池１００としては、上記した固体高分子型燃料電池の他、固体酸化物型燃料電池電解質型や溶融炭酸塩電解質型等、種々のタイプの燃料電池を用いることができる。
【００４５】
負荷短絡部６０は、各ターミナル３４０と接続されている。また、負荷短絡部６０は、電気的負荷及び短絡回路を備え、電気的負荷と、短絡回路（抵抗なし回路）との接続を切り換え可能な装置である。なお、通常発電中は、負荷短絡部６０において電気的負荷が選択されて接続され、すなわち、燃料電池１００は、電気的負荷と接続されている。負荷短絡部６０において、短絡回路が選択されて接続されると、燃料電池１００（各燃料電池セル１０）は、アノード側とカソード側が短絡した状態となる。電気的負荷としては、例えば、二次電池や所定の電力消費装置（モータなど）などがある。また、燃料電池１００には、負荷短絡部６０とは異なる電気的負荷が接続されていてもよく、この電気的負荷が、例えば、二次電池や所定の電力消費装置（モータなど）であってもよい。
【００４６】
電圧センサ９０は、燃料電池１００の各燃料電池セル１０のセル電圧を検出するためのセンサである。
【００４７】
制御回路４００は、マイクロコンピュータを中心とした論理回路として構成され、詳しくは、予め設定された制御プログラムに従って所定の演算などを実行するＣＰＵ（図示せず）と、ＣＰＵで各種演算処理を実行するのに必要な制御プログラムや制御データ等が予め格納されたＲＯＭ（図示せず）と、同じくＣＰＵで各種演算処理をするのに必要な各種データが一時的に読み書きされるＲＡＭ（図示せず）と、各種信号を入出力する入出力ポート（図示せず）等を備え、燃料電池１００の発電に伴い、上記した各部、すなわち、コンプレッサ３０、水素遮断弁４０、負荷短絡部６０、バイパス弁７０、空気排出弁８０等に対して種々の制御を行う。
【００４８】
また、制御回路４００は、燃料電池システム１０００外部から電力要求がなくなり、運転停止要求（または、通常発電終了要求）を受信した場合には、後述する運転停止処理を実行する。制御回路４００は、この処理中、電圧センサ９０から各燃料電池セル１０のセル電圧を検出する。
【００４９】
なお、制御回路４００は、運転開始処理時、および、通常発電時には、ガス流量計７５を監視し、ガス流量計７５から所定値以上のガス流量が検出された場合には、バイパス弁７０が故障していると判断し、燃料電池システム１０００の運転を止める。このようにすれば、運転開始処理時、または、通常発電時において、バイパス弁７０を介して燃料電池１００に空気が流入した状態で、発電を継続することを抑制することができ、燃料電池１００の故障などを抑制することができる。
【００５０】
また、本実施例の燃料電池システム１０００では、ラジエータ（図示せず）などからなる冷却系装置（図示せず）を備えており、その冷却系装置から、各燃料電池セル１０間に設けられる冷媒流路（図示せず）に冷媒が流され、燃料電池１００の内部温度を調節するようになっている。
【００５１】
Ａ２．運転停止処理：
図３は、本実施例の燃料電池システム１０００が行う運転停止処理を示すフローチャートである。制御回路４００は、運転停止要求を受信すると、この処理を開始する。なお、この処理における前提条件は、以下の通りである。すなわち、この処理前は、通常発電運転であったので、水素遮断弁４０及び空気排出弁８０は、開弁状態であり、バイパス弁７０は、閉弁状態であり、負荷短絡部６０は、電気的負荷と接続され、コンプレッサ３０は、駆動した状態である。
【００５２】
この運転停止処理において、まず、制御回路４００は、水素遮断弁４０を閉弁させ、水素の供給を停止させる（ステップＳ１１０）。
【００５３】
次に、制御回路４００は、コンプレッサ３０を駆動停止させ、空気の供給を停止させる（ステップＳ１２０）。
【００５４】
また、制御回路４００は、空気排出弁８０を閉弁させ、カソード系流路ＣＦＰにおいて、カソード流路３６を含む空気排出弁８０とコンプレッサ３０との間の流路を密閉する（ステップＳ１３０）。この流路をカソード系密閉流路とも呼ぶ。なお、空気排出弁８０は必ずしも密閉である必要はなく、圧損を高くするだけでもよい。
【００５５】
そして、制御回路４００は、負荷短絡部６０を制御して、燃料電池１００のアノード側とカソード側とを短絡する（ステップＳ１４０）。そうすると、燃料電池１００のＭＥＡ５では、アノード側の水素、カソード側の空気（酸素）を用いて、電気的化学反応が生じ、すなわち、発電が行われる。それに伴い、燃料電池１００において、カソード流路３６内の酸素濃度が減少し、電気化学反応が低下して、各燃料電池セル１０のセル電圧は、低下する。なお、短絡により、各燃料電池セル１０内部の内部抵抗で電力が消費されることによっても、セル電圧は、低下する。そして、カソード系流路ＣＦＰのカソード系密閉流路では、酸素濃度が減少し、窒素濃度が高くなり、ほとんど低活性ガスである窒素で満たされる。
【００５６】
次に、制御回路４００は、各燃料電池セル１０の電圧を検出し、平均電圧Ｖａを算出する（ステップＳ１５０）。制御回路４００は、平均電圧Ｖａが、閾値Ｖｔｈ［Ｖ］以上である場合には（ステップＳ１６０：Ｎｏ）、各燃料電池セル１０のセル電圧が十分低下していないと判断し、ステップＳ１５０の処理にリターンする。なお、閾値Ｖｔｈは、例えば、０．０１〜０．６程度が好ましく、０．１〜０．５程度がさらに好ましく、０．２〜０．４程度が特に好ましい。
【００５７】
制御回路４００は、平均電圧Ｖａが、Ｖｔｈ［Ｖ］未満であると（ステップＳ１６０：Ｙｅｓ）、各燃料電池セル１０のセル電圧が十分低下したと判断し、続いて、バイパス弁７０を開弁させる（ステップＳ１７０）。また、制御回路４００は、コンプレッサ３０を駆動させる（ステップＳ１８０）。これに伴い、カソード系流路ＣＦＰのカソード系密閉流路内の窒素（低活性ガス）は、コンプレッサ３０から供給される空気によって押し出されるように、バイパス弁７０を介して、アノード系流路ＡＦＰの水素供給流路２２に導入される。そして、水素供給流路２２に導入された窒素は、アノード流路２６内の水素を押し出し、水素排出流路２４を介して、外部に排出される。これにより、アノード流路２６（アノード系流路ＡＦＰ）内の水素は、低活性ガスである窒素に一旦置換された後、最終的に空気に置換される。また、カソード流路３６（カソード系流路ＣＦＰ）も、コンプレッサ３０から供給された空気に置換されている。
【００５８】
その後、制御回路４００は、所定時間経過するまで、待機し（ステップＳ１９０：Ｎｏ）、所定時間経過すると（ステップＳ１９０：Ｙｅｓ）、コンプレッサ３０を駆動停止させ、また、負荷短絡部６０を制御して、燃料電池１００の短絡を停止させ、この運転停止処理を終了する。
【００５９】
ここで、下記の図４に示す比較例としての運転停止処理と比較して、本実施例の運転停止処理の有効性を検討する。図４は、比較例としての運転停止処理を示すフローチャートである。この比較例の運転停止処理では、本実施例の運転停止処理と同様の処理については、同様のステップ番号を示し、説明を省略する。この比較例の運転停止処理では、本実施例の運転停止処理とほとんど同様の処理を行っているが、制御回路４００は、平均電圧Ｖａが、Ｖｔｈ［Ｖ］未満であった場合には（ステップＳ１６０：Ｙｅｓ）、負荷短絡部６０を制御して、燃料電池１００のアノード側とカソード側との短絡を解除し（ステップＳ１６５）、その後、アノード流路２６内の水素を、窒素（低活性ガス）に置換するようにしている（ステップＳ１７０〜ステップＳ１９０）。
【００６０】
ところで、比較例の運転停止処理において、燃料電池１００の短絡を解除する際、燃料電池１００では、アノード側は、水素が滞留しており、一方、カソード側は、窒素が滞留しているので、短絡を解除すると、セル電圧が上昇するおそれがある。そして、アノード側（アノード流路２６等）を窒素に置換する際、アノード１３では、一部が、窒素と接し、一部が、水素と接する状態が生じるが、その際、比較例の運転停止処理のように、短絡を解除した状態で、すなわち、セル電圧が上昇した状態で、この置換を行うと、アノード１３において、窒素と接している部分と、水素と接している部分との間で、極端な電位勾配が生じるおそれがあり、その結果、カソード１２において、部分的に酸化反応が起こり、劣化するおそれがある。
【００６１】
一方、以上のように本実施例の運転停止処理（図３）では、水素の供給停止後、燃料電池１００において、短絡させることにより各燃料電池セル１０のセル電圧を発電により十分低下させた後、さらに、短絡を継続しつつ、つまり、セル電圧を低下させたまま、アノード側（アノード流路２６等）の水素を、窒素（低活性ガス）に置換するようにしている。このようにすれば、置換の際に、アノード１３において、極端な電位勾配が生じることを抑制することができ、カソード１２において、酸化反応が生じることを抑制することができる。その結果、カソード１２の劣化を抑制することができる。また、アノード側（アノード流路２６等）の水素を低活性ガスとしての窒素で置換しているので、置換の際に、触媒燃焼反応が生じることを抑制することができ、アノード１３の劣化を抑制することができる。
【００６２】
なお、燃料電池セル１０は、請求項における燃料電池セルに該当し、アノード１３は、請求項におけるアノードに該当し、カソード１２は、請求項におけるカソードに該当し、水素タンク２０は、請求項における燃料ガス供給部に該当し、コンプレッサ３０は、請求項における酸化ガス供給部またはガス導入部に該当し、カソード系流路ＣＦＰは、請求項におけるカソード系流路に該当し、アノード系流路ＡＦＰは、請求項におけるアノード系流路に該当し、セル内空気流路１８は、請求項における燃料電池内酸化ガス流路に該当し、セル内水素流路１９は、請求項における燃料電池内燃料ガス流路に該当し、バイパス流路７２は、請求項におけるバイパス流路に該当し、バイパス弁７０は、請求項におけるバイパス弁に該当し、制御回路４００は、請求項における制御回路に該当する。また、水素遮断弁４０は、請求項における停止部に該当し、負荷短絡部６０および制御回路４００は、請求項における電圧低下処理部に該当し、バイパス弁７０、制御回路４００、および、コンプレッサ３０は、請求項における置換部に該当する。
【００６３】
Ｂ．第２実施例：
Ｂ１．燃料電池システム１０００Ａの構成：
図５は、本発明の第２実施例としての燃料電池システム１０００Ａの構成を示すブロック図である。第１実施例の燃料電池システム１０００は、バイパス流路７２が、水素供給流路２２と接続されていたが、本実施例の燃料電池システム１０００Ａでは、バイパス流路７２ａが、水素排出流路２４と接続されている。この場合、バイパス流路７２ａ上には、バイパス弁７０ａおよびガス流量計７５ａが備えられている。また、本実施例の燃料電池システム１０００Ａは、水素排出流路２４上であって、バイパス流路７２ａの接続部分より下流側に水素排出弁８５を備えている。さらに、本実施例の燃料電池システム１０００Ａでは、レギュレータ５０と燃料電池１００との間における水素供給流路２２と、水素排出弁８５より下流の水素排出流路２４とを接続するパージ流路９５と、そのパージ流路９５上に設けられるパージ弁９７を備えている。
【００６４】
本実施例の制御回路４００ａは、燃料電池１００の発電に伴い、コンプレッサ３０、水素遮断弁４０、負荷短絡部６０、バイパス弁７０ａ、空気排出弁８０、水素排出弁８５、パージ流路９５等に対して種々の制御を行い、後述する本実施例の運転停止処理を実行する。
【００６５】
なお、本実施例の燃料電池システム１０００Ａでは、第１実施例の燃料電池システム１０００と同様の機能を有するものについては、同様の符号を付しており、説明を省略する。
【００６６】
図６は、本実施例の燃料電池システム１０００Ａが行う運転停止処理を示すフローチャートである。制御回路４００ａは、運転停止要求を受信すると、この処理を開始する。この処理における前提条件は、以下の通りである。すなわち、この処理前は、通常発電運転であったので、水素遮断弁４０、空気排出弁８０及び水素排出弁８５は、開弁状態であり、バイパス弁７０ａ及びパージ弁９７は、閉弁状態であり、負荷短絡部６０は、電気的負荷と接続され、コンプレッサ３０は、駆動した状態である。なお、第１実施例の運転停止処理と同様の処理については、同様のステップ番号を示し、詳細を省略する。
【００６７】
この運転停止処理において、まず、制御回路４００ａは、水素遮断弁４０及び水素排出弁８５を閉弁させ、水素の供給を停止させる（ステップＳ１１０Ａ）。
【００６８】
そして、制御回路４００ａは、ステップＳ１２０〜Ｓ１５０までの処理後、平均電圧Ｖａが、Ｖｔｈ［Ｖ］未満であると（ステップＳ１６０：Ｙｅｓ）、各燃料電池セル１０のセル電圧が十分低下したと判断し、続いて、バイパス弁７０及びパージ流路９５を開弁させる（ステップＳ１７０Ａ）。また、制御回路４００ａは、コンプレッサ３０を駆動させる（ステップＳ１８０）。これに伴い、カソード系流路ＣＦＰのカソード系密閉流路内の窒素（低活性ガス）は、コンプレッサ３０から供給される空気によって押し出されるように、バイパス弁７０を介して、水素排出弁８５より上流の水素排出流路２４に導入される。そして、水素排出流路２４に導入された窒素は、アノード流路２６内の水素を押し出し、水素供給流路２２及びパージ流路９５を介して、外部に排出される。これにより、アノード流路２６（アノード系流路ＡＦＰ）内の水素は、低活性ガスである窒素に置換される。その後、制御回路４００は、所定時間経過するまで、待機し（ステップＳ１９０：Ｎｏ）、所定時間経過すると（ステップＳ１９０：Ｙｅｓ）、コンプレッサ３０を駆動停止させ、また、負荷短絡部６０を制御して、燃料電池１００の短絡を停止させ、この運転停止処理を終了する。
【００６９】
以上のように本実施例の運転停止処理（図６）では、水素の供給停止後、燃料電池１００において、短絡させることにより各燃料電池セル１０のセル電圧を発電により十分低下させた後、さらに、短絡を継続しつつ、つまり、セル電圧を低下させたまま、アノード側（アノード流路２６等）の水素を、窒素（低活性ガス）に置換するようにしている。このようにすれば、置換の際に、アノード１３において、極端な電位勾配が生じることを抑制することができ、カソード１２において、酸化反応が生じることを抑制することができる。その結果、カソード１２の劣化を抑制することができる。また、アノード側（アノード流路２６等）の水素を低活性ガスとしての窒素で置換しているので、置換の際に、触媒燃焼反応が生じることを抑制することができ、アノード１３の劣化を抑制することができる。
【００７０】
また、制御回路４００ａは、運転開始処理時、および、通常発電時には、ガス流量計７５ａを監視し、ガス流量計７５ａから所定値以上のガス流量が検出された場合には、バイパス弁７０ａが故障していると判断し、燃料電池システム１０００Ａの運転を止める。このようにすれば、運転開始処理時、または、通常発電時において、バイパス弁７０ａを介して空気が水素排出流路２４に流入したり、水素が空気排出流路３４に流入したりすることを抑制することができ、燃料電池１００の故障などを抑制することができる。
【００７１】
Ｃ．変形例：
なお、本発明では、上記した実施の形態に限られるものではなく、その要旨を逸脱しない範囲において種々の態様にて実施することが可能である。
【００７２】
Ｃ１．変形例１：
上記実施例では、運転停止処理において、カソード側（カソード流路３６）で生じた窒素を、低活性ガスとして用いて、アノード側（アノード流路２６）の水素と置換するようにしているが、本発明はこれに限られるものではない。例えば、低活性ガスが貯蔵されるガスタンクを用意し、運転停止処理において、そのガスタンクから低活性ガスを供給し、アノード側の水素と置換するようにしてもよい。この場合、低活性ガスは、窒素の他、例えば、アルゴン、ヘリウム、キセノン、ラドンなどを用いてもよい。このようにしても上記実施例と同様の効果を奏することができる。
【００７３】
Ｃ２．変形例２：
上記実施例では、燃料ガスとして、水素を、酸化ガスとして、空気を用いているが、本発明はこれに限られるものではない。例えば、燃料ガスとして、改質ガスを用いてもよい。また、酸化ガスとして、空気を含んだガスであればよく、例えば、空気と酸素との混合ガスを用いても良い。
【００７４】
Ｃ３．変形例３：
上記実施例のアノード側において、水素供給流路２２と水素排出流路２４とを循環流路で接続し、その循環流路上に循環ポンプを設けて、燃料電池１００から排出される水素を、循環させるようにしてもよい。この場合、運転停止処理では、循環ポンプは停止させるようにすればよい。
【００７５】
Ｃ４．変形例４：
上記実施例の燃料電池システム１０００では、酸化ガスとしての空気を燃料電池１００に供給する装置として、コンプレッサ３０を用いているが、本発明はこれに限られるものではなく、ブロワを用いてもよい。
【００７６】
Ｃ５．変形例５：
上記実施例の運転停止処理において、ステップＳ１４０の処理で、制御回路は、負荷短絡部６０を制御して、燃料電池１００を短絡させることにより、各燃料電池セル１０のセル電圧を低下させるようにしているが、本発明はこれに限られるものではない。例えば、ステップＳ１４０の処理で、制御回路は、負荷短絡部６０を制御して、燃料電池１００に電気的負荷を接続させることにより、各燃料電池セル１０のセル電圧を低下させるようにしてもよい。この場合、制御回路は、電気的負荷の接続を、アノード流路２６（アノード系流路ＡＦＰ）内の水素が窒素に一旦置換され、最終的に空気に置換されるまで継続する。このようにしても上記実施例と同様の効果を奏することができる。
【００７７】
Ｃ６．変形例６：
上記実施例の燃料電池１００は、複数の燃料電池セル１０を備えているが、本発明はこれに限られるものではなく、１つの燃料電池セル１０から構成されていてもよい。
【００７８】
Ｃ７．変形例７：
上記実施例では、ガス流量計７５を用いて、バイパス弁７０の故障を検知するようにしているが、本発明はこれに限られるものではない。例えば、ガス流量計７５に換えて、水素濃度センサや酸素濃度センサを用いて、バイパス弁７０の故障を検知するようにしてもよい。
【００７９】
Ｃ８．変形例８：
上記実施例では、燃料電池１００の各ターミナル３４０を接続して、燃料電池１００（各燃料電池セル１０）を短絡するようにしているが、本発明はこれに限られるものではない。例えば、各燃料電池セル１０において、カソード側のセパレータ６とアノード側のセパレータ７とを接続し、短絡し、燃料電池１００（各燃料電池セル１０）を短絡するようにしてもよい。
【図面の簡単な説明】
【００８０】
【図１】本発明の第１実施例としての燃料電池システム１０００の構成を示すブロック図である。
【図２】燃料電池セル１０の概略構成を表わす断面模式図である。
【図３】第１実施例の燃料電池システム１０００が行う運転停止処理を示すフローチャートである。
【図４】比較例としての運転停止処理を示すフローチャートである。
【図５】本発明の第２実施例としての燃料電池システム１０００Ａの構成を示すブロック図である。
【図６】第２実施例の燃料電池システム１０００Ａが行う運転停止処理を示すフローチャートである。
【符号の説明】
【００８１】
５…ＭＥＡ
６，７…セパレータ
１０…燃料電池セル
１１…電解質膜
１２…カソード
１３…アノード
１４，１５…第１ガス拡散層
１６，１７…第２ガス拡散層
１８…セル内空気流路
１９…セル内水素流路
２０…水素タンク
２２…水素供給流路
２４…水素排出流路
２６…アノード流路
３０…コンプレッサ
３２…空気供給流路
３４…空気排出流路
３６…カソード流路
４０…水素遮断弁
５０…レギュレータ
６０…負荷短絡部
７０，７０ａ…バイパス弁
７２，７２ａ…バイパス流路
７５，７５ａ…ガス流量計
８０…空気排出弁
８５…水素排出弁
９０…電圧センサ
９５…パージ流路
９７…パージ弁
１００…燃料電池
３００…エンドプレート
３３０…インシュレータ
３４０…ターミナル
４００，４００ａ…制御回路
１０００，１０００Ａ…燃料電池システム
Ｖａ…平均電圧
ＡＦＰ…アノード系流路
ＣＦＰ…カソード系流路
Ｍｎ１…水素供給マニホールド
Ｍｎ２…水素排出マニホールド
Ｍｓ１…空気供給マニホールド
Ｍｓ２…空気排出マニホールド
Ｖｔｈ…閾値
【図１】
2009043431.tif 000003
【図２】
2009043431.tif 000004
【図３】
2009043431.tif 000005
【図４】
2009043431.tif 000006
【図５】
2009043431.tif 000007
【図６】
2009043431.tif 000008